(57)【特許請求の範囲】
【請求項１】
登録データ記憶部、検索照合処理部、及び単独照合処理部をそれぞれ有する複数の照合手段と、複合認証処理手段とを備えたデータ照合装置であって、
上記登録データ記憶部は、複数の同定対象の候補それぞれが有する複数の固有データを複数の登録データとして記憶可能であるとともに該複数の登録データを出力可能であり、
上記検索照合処理部は、同定対象が有する複数種類の固有データがそれぞれ入力され、上記登録データ記憶部から出力された上記複数の登録データのそれぞれと同定対象が有する上記固有データとの一致度を求めるとともに該一致度の高い順に上記複数の候補を並べた候補リストを生成し、
上記複合認証処理手段は、上記複数の照合手段のそれぞれに対応する複数の候補リストにリストアップされた全ての候補の登録データのそれぞれと上記同定対象が有する固有データとの一致度を求めるように、当該各照合手段がそれぞれ備える上記単独照合処理部に対して一致度を求める候補をそれぞれ指示し、
上記単独照合処理部は、上記複合認証処理部により指示された候補の登録データと上記同定対象が有する固有データとの一致度を求め、この一致度を上記複合認証処理部に出力し、
更に上記複合認証処理手段は、固有データの種類ごとにそれぞれ生成された複数の上記候補リストのいずれかにリストアップされた複数の候補を上記一致度に基づいて処理し、該複数の候補を上記一致度の高い順に並べた統合候補リストを生成する
データ照合装置。
【請求項２】
複数の照合手段に入力される複数種類の固有データ以外の同定対象が有する固有データが入力され、該入力された固有データと複合認証処理手段により指示された候補の登録データとの一致度を求め、この一致度を上記複合認証処理部に出力する単独照合手段を備え、複合認証処理手段は、上記単独照合手段が複数の候補リストの全てにリストアップされた候補の登録データと上記同定対象が有する固有データとの一致度を求めるように、当該単独照合手段に対して一致度を求める候補を指示することを特徴とする
請求項１記載のデータ照合装置。
【発明の詳細な説明】
【０００１】
【発明の属する技術分野】
この発明は、照合の対象となるデータが、既に登録されている複数のデータのうちどれに相当するかを判定するデータの照合方法を複数種類併用して、同定候補のリストを生成することができるデータ照合装置及びデータ照合方法に関するものであり、例えば、画像データや音声データなどの複数のデータから抽出された複数の特徴データを用いたデータ照合装置及びデータ照合方法に関するものである。
【０００２】
【従来の技術】
従来、例えば指紋と顔という二つの照合データを用いて個人を識別する場合、識別したい個人に対して割りあてられた個人識別番号（以下、ＩＤ番号という）を用いて登録データの中から当該個人の指紋データと顔データを読み出し、これと指紋、顔それぞれの照合データを別個に照合（＝単独照合）し、その結果得られた指紋と顔それぞれの一致度に、重み付け処理するなどの複合手段を用いて統合的に判定し、個人識別を行っていた。
【０００３】
図１３は、このような従来の技術による複数のデータ照合方法の統合に関するブロック図である。図において、１５は第１のデータ照合方法に基づく処理を行う第１の単独照合手段、１１は単独照合手段１５において登録データを記憶する登録データ記憶部、１４は単独照合手段１５において、照合データＤAと同定対象のＩＤ番号ＩＤAを入力し、そのＩＤ番号ＩＤAに一致する同定対象の登録データを登録データ記憶部１１から読み出し、この登録データと照合データを照合し、一致度などの照合結果を出力するＩＤ番号指定照合処理部である。
【０００４】
又、２５は第２のデータ照合方法に基づく処理を行う第２の単独照合手段、２１は単独照合手段２５において登録データを記憶する登録データ記憶部、２４は単独照合手段２５において、照合データＤBと同定対象のＩＤ番号ＩＤBを入力し、そのＩＤ番号ＩＤBに一致する同定対象の登録データを登録データ記憶部２１から読み出し、この登録データと照合データとを照合し、一致度などの照合結果を出力するＩＤ番号指定照合処理部である。
【０００５】
又、８０は第１及び第２の単独照合手段１５、２５から出力される照合結果に基づき、重み付け処理などの複合処理を施して、統合的な判定を行う照合結果統合処理部である。
【０００６】
例えば、特開平１０−２６１０８３号公報に述べられている個人同定における照合方法の複合手法に於いても、図１３における照合結果統合処理部８０における処理に特徴を加えた程度のものであり、単独照合による照合方法の統合化の枠組みを越えるものではない。
【０００７】
また、例えば特開平６−１１１００６号公報に示される個人同定装置について、図１４を用いて説明する。図１４に示す個人同定装置は、同定対象者の音声を取り込む音声入力手段４と、ある条件にかなう特定の人物の音声が登録されている登録音声ファイル６を用いて入力音声と登録音声とを照合する音声照合手段１と、音声照合手段１で選択された人物の登録指紋を、ある条件にかなう特定の人物の指紋が登録されている登録指紋ファイル群７の中の該当ファイルから取り出し、指紋入力手段５で入力された入力指紋と照合する指紋照合手段２と、音声照合手段１と指紋照合手段２とを併用して最終的な個人の識別を行う個人識別手段３を備えたものである。
【０００８】
上記のような構成により、音声を用いた検索照合で同定対象者を登録データの中から特定した後、音声で特定された同定対象者の登録指紋データと照合指紋データを単独照合し、それぞれの照合結果を用いて最終的な同定判定を行うものである。
【０００９】
【発明が解決しようとする課題】
例えば、前述の特開平１０−２６１０８３号公報におけるような照合結果の統合方法では、各照合方法はＩＤ番号等を記憶する必要があり、しかも、各照合方法が検索照合であって複数の同定候補が存在する場合に対応できないという課題があった。
【００１０】
また、前述の特開平６−１１１００６号公報におけるような照合結果の統合方法では、検索照合を行う照合方法は２つのデータ照合方法の内の一方（例えば、音声照合）のみ、単独照合を行う照合方法は他方（例えば、指紋照合）のみを用いており、これら以外の照合方法をさらに組み合わせることができないという課題があった。
【００１１】
また、この従来例によれば、検索照合を行う照合方法が複数存在した場合には利用できないという課題があった。
【００１２】
また、この従来例によれば、ノイズ等、何らかの原因により音声、もしくは指紋の照合のどちらかで同定拒否が発生した場合、実際に登録されている人物のデータを同定していた場合でも、最終的な結果は同定拒否となるという課題があった。
【００１３】
また、この従来例によれば、音声のみが登録されている人物や、指紋のみが登録されている人物の同定は行えないという課題があった。
【００１４】
また、この従来例によれば、最終的な同定結果として高々１名の人物を選出するだけであって、音声、指紋ともに同程度の類似度が得られる人物が複数登録されていた場合には正しい同定結果が得られない可能性があるという課題があった。
【００１５】
この発明は上記のような課題を解決するためになされたもので、検索照合により同定対象の候補リストを生成することができる複数の照合方法を用いて、複数登録されている同定対象の中から、確からしさの高い順に並べられた同定対象の統合候補リストを生成するデータ照合装置及びデータ照合方法を得ることを目的とする。
【００１６】
【課題を解決するための手段】
この発明に関わるデータ照合装置は、登録データ記憶部、検索照合処理部、及び単独照合処理部をそれぞれ有する複数の照合手段と、複合認証処理手段とを備えたデータ照合装置であって、上記登録データ記憶部は、複数の同定対象の候補それぞれが有する複数の固有データを複数の登録データとして記憶可能であるとともに該複数の登録データを出力可能であり、上記検索照合処理部は、同定対象が有する複数種類の固有データがそれぞれ入力され、上記登録データ記憶部から出力された上記複数の登録データのそれぞれと同定対象が有する上記固有データとの一致度を求めるとともに該一致度の高い順に上記複数の候補を並べた候補リストを生成し、上記複合認証処理手段は、上記複数の照合手段のそれぞれに対応する複数の候補リストにリストアップされた全ての候補の登録データのそれぞれと上記同定対象が有する固有データとの一致度を求めるように、当該各照合手段がそれぞれ備える上記単独照合処理部に対して一致度を求める候補をそれぞれ指示し、上記単独照合処理部は、上記複合認証処理部により指示された候補の登録データと上記同定対象が有する固有データとの一致度を求め、この一致度を上記複合認証処理部に出力し、更に上記複合認証処理手段は、固有データの種類ごとにそれぞれ生成された複数の上記候補リストのいずれかにリストアップされた複数の候補を上記一致度に基づいて処理し、該複数の候補を上記一致度の高い順に並べた統合候補リストを生成するものである。
【００１７】
又、複数の照合手段に入力される複数種類の固有データ以外の同定対象が有する固有データが入力され、該入力された固有データと複合認証処理手段により指示された候補の登録データとの一致度を求め、この一致度を上記複合認証処理部に出力する単独照合手段を備え、複合認証処理手段は、上記単独照合手段が複数の候補リストの全てにリストアップされた候補の登録データと上記同定対象が有する固有データとの一致度を求めるように、当該単独照合手段に対して一致度を求める候補を指示するものである。
【００２７】
【発明の実施の形態】
実施の形態１ ．
以下、この発明の実施の形態１を図を用いて説明する。図１は、この発明の実施の形態１の構成を示すブロック図であり、例えば２種類の照合方法を用いる場合を示している。
【００２８】
図において、１０は第１のデータ照合方法に基づく処理を行う第１の照合手段、１１は照合手段１０において登録データを記憶する登録データ記憶部、１２は照合手段１０において、入力された照合データと類似した登録データを検索して照合データと一致度の高い登録データを見つけだし、その登録データを所有する同定対象を、一致度の高い順に同定対象候補としてリストアップする検索照合処理部である。
【００２９】
又、２０は第２のデータ照合方法に基づく処理を行う第２の照合手段、２１は照合手段２０において登録データを記憶する登録データ記憶部、２２は照合手段２０において、入力された照合データと類似した登録データを検索して照合データと一致度の高い登録データを見つけだし、その登録データを所有する同定対象を、一致度の高い順に同定対象候補としてリストアップする検索照合処理部である。
【００３０】
又、３０は、第１及び第２のデータ照合方法により得られた同定対象候補及び当該候補の各照合方法に於ける照合データと登録データとの一致度、を示す同定対象候補リストＡ及びＢから、当該候補リストＡ，Ｂの統合処理を行って統合候補リストＰを作成する複合認証処理手段である。
【００３１】
次に、動作を説明する。データ照合処理を始める前に、登録データ記憶部１１、２１には複数のデータが予め登録されているものとする。いま照合の対象となる照合データとして、第１の照合手段１１に対してＤA、第２の照合手段２１に対してＤBが入力されたとする。
【００３２】
検索照合処理部１２、２２は、登録データ記憶部１１、２１に記憶された登録データの中から、照合データＤA、ＤBと類似した一致度の高い登録データを見つけだし、同定対象の候補リストＡ，Ｂを生成する。図２に候補リストＡ，Ｂの例を示す。各照合手段ごとに生成される候補リストＡ，Ｂは、同定対象に割り当てられた同定対象識別番号など、すべての照合方法を通じて同定対象を一意に決定できる識別子と、各同定対象のもつ登録データと照合データの一致度を要素としてもっている。
【００３３】
ただし、すべての登録データと照合データの一致度が適当に設定されたしきい値を越えないような場合は該当する登録データ無しとして、候補リストは空のリストとして生成される。
【００３４】
また、しきい値を越える一致度を持つ登録データが複数存在した場合、一致度を超える全ての同定対象を候補にあげる方法、一致度の高い順に、一定数の同定対象だけを候補にあげる方法、など、多くの候補リスト生成方法が考えられる。
【００３５】
ここで、本実施の形態の説明では、説明を簡単にするため、しきい値を越える登録データが多数あった場合には、一致度の高い順から３つだけを候補リストに掲載する場合について説明する。
【００３６】
図２に示したような候補リストＡ，Ｂが、各照合手段１０、２０で生成された後、複合認証処理手段３０では、これらの統合処理を行う。統合処理には一致度の重み付け総和など、様々な手法が考えられるが、ここでは説明を簡単にするため、二つの候補リストの一致度の総和を求める手法で動作を説明する。
【００３７】
今、候補リストＡに存在し、かつ候補リストＢにも存在する同定対象候補（KOUHO-1とKOUHO-2）については、それぞれ両照合方法における一致度の和をもとめ、これを各候補の統合一致度とする。また、どちらかの候補リストにしか存在しない同定対象候補（KOUHO-3とKOUHO-4）については、統合判定不可として、統合候補リストの生成対象から除外する。
【００３８】
こうして得られた統合一致度を用い、図３に示した統合候補リストＰを複合認証処理手段３０にて生成する。なお、本説明では統合候補リストに掲載される同定対象を複数としたが、最高の統合一致度を持つ同定候補一つだけを記載し、これを照合データから特定された同定対象として出力するも可能である。
【００３９】
実施の形態２．
図４は、この発明の実施形態２の構成を示すブロック図であり、例えば２種類の照合方法を用いる場合を示している。図において、１０ａは第１のデータ照合方法に基づく処理を行う第１の照合手段、１１は照合手段１０において登録データを記憶する登録データ記憶部、１２は照合手段１０ａにおいて、入力された照合データと類似した登録データを検索して照合データと一致度の高い登録データを見つけだし、その登録データを所有する同定対象を、一致度の高い順に同定対象候補としてリストアップする検索照合処理部、１３は第１の照合方法において、指示された同定対象の登録データと入力された照合データとの単独照合を行い、その一致度を出力する単独照合処理部である。
【００４０】
又、２０ａは第２のデータ照合方法に基づく処理を行う第２の照合手段、２１は照合手段２０において登録データを記憶する登録データ記憶部、２２は照合手段２０ａにおいて、入力された照合データと類似した登録データを検索して照合データと一致度の高い登録データを見つけだし、その登録データを所有する同定対象を、一致度の高い順に同定対象候補としてリストアップする検索照合処理部、２３は第２の照合方法において、指示された同定対象の登録データと入力された照合データとの単独照合を行い、その一致度を出力する単独照合処理部である。
【００４１】
又、４０は、第１及び第２の照合手段の検索照合処理部１２、２２より出力された、同定対象候補及び当該候補の各照合方法に於ける照合データと登録データとの一致度、を示す同定対象候補リストＡ及びＢを入力し、いずれか一方の候補リストＡ又はＢにしか掲載されていない同定候補があった場合に、掲載されていない方の候補リストに対応する照合方法における、当該掲載されていない同定候補の一致度を単独照合処理部１３又は２３を用いて求め、その結果を含めた同定対象候補リストＡ１及びＢ１を作成し、当該候補リストＡ１，Ｂ１の統合処理を行って統合候補リストＱを生成する候補総当たり型複合認証処理手段である。
【００４２】
つぎに動作について説明する。各照合方法における検索照合処理部１２、２２が同定対象の候補リストＡ，Ｂを生成するところまでは、実施の形態１で説明した動作と同様である。候補総当たり型複合認証処理手段４０で行われる統合処理の手法には様々な手法が適用可能であるが、ここでは説明を簡単にするため候補リストに掲載された同定対象の一致度の和を求める手法を用いて説明する。
【００４３】
今、検索照合処理部１２、２２で生成された候補リストＡ，Ｂが図２に示したような内容であった場合、候補総当たり型複合認証処理手段４０では、候補リストＡに存在し、かつ候補リストＢにも存在する同定対象候補（KOUHO-1とKOUHO-2）については、それぞれ両照合方法における一致度の和をもとめ、これを各候補の統合一致度とする。
【００４４】
また、Ａ、Ｂどちらかの候補リストにしか存在しない同定対象候補（KOUHO-3とKOUHO-4）については、存在しない方の候補リストを生成した照合方法の単独照合処理部１３又は２３を用いて、当該同定対象の一致度を求める。具体的にいえば、図２において候補リストＡにしか存在しない同定対象KOUHO-3について、第２の照合手段２０ａに入力される照合データＤBと、登録データEKOUHO-3の一致度を単独照合処理部２３を用いて求める。また同様に、候補リストＢにしか存在しない同定対象KOUHO-4について、第１の照合手段１０ａに入力される照合データＤAと登録データEKOUHO-4の一致度を単独照合処理部１３を用いて求める。
【００４５】
この結果、図５に示すような総当たり型候補リストＡ１、Ｂ１が生成される。図５のように得られた候補リストＡ１、Ｂ１から、各同定対象の統合一致度を求め、統合候補リストを生成する。候補総当たり型複合認証処理部４０において生成された統合候補リストＱの例を図６に示す。図６においては、統合候補リストに全ての候補者の統合一致度を示したが、一定しきい値以上となる候補のみをリストアップとしたり、上位の一定数の候補だけを統合候補リストアップしたりすることも可能である。
【００４６】
実施の形態３．
図７は、この発明の実施形態３の構成を示すブロック図であり、例えば３種類の照合方法を用いる場合を示している。図において、１０は第１のデータ照合方法に基づく処理を行う第１の照合手段、１１は照合手段１０において登録データを記憶する登録データ記憶部、１２は照合手段１０において、入力された照合データと類似した登録データを検索して照合データと一致度の高い登録データを見つけだし、その登録データを所有する同定対象を、一致度の高い順に同定対象候補としてリストアップする検索照合処理部である。
【００４７】
又、２０は第２のデータ照合方法に基づく処理を行う第２の照合手段、２１は照合手段２０において登録データを記憶する登録データ記憶部、２２は照合手段２０において、入力された照合データと類似した登録データを検索して照合データと一致度の高い登録データを見つけだし、その登録データを所有する同定対象を、一致度の高い順に同定対象候補としてリストアップする検索照合処理部である。
【００４８】
又、５０は第３のデータ照合方法に基づく処理を行う単独照合手段、５１は単独照合手段５０において登録データを記憶する登録データ記憶部、５２は単独照合手段５０において、指示された同定対象の登録データと入力された照合データの単独照合を行い、その一致度を出力する単独照合処理部である。
【００４９】
又、６０は第１及び第２の照合手段の検索照合処理部１２、２２より出力された、同定対象候補及び当該候補の各照合方法に於ける照合データと登録データとの一致度を示す同定対象候補リストＡ及びＢを入力し、単独照合させる同定対象候補を選択し、単独照合手段５０を用いて当該候補の第３の照合方法による照合データと登録データの一致度Ｘを求め、各照合方法での一致度を統合的に判断して統合候補リストＲを作成する候補絞り込み型複合認証処理手段である。
【００５０】
次に動作について説明する。同定対象の候補リストＡ、Ｂを生成するまでは、実施の形態１と同様である。候補絞り込み型複合認証処理手段６０での統合候補リストＲの作成処理には、様々な手法が適用可能であるが、ここでは説明を簡単にするため、同定対象の一致度の和を用いる手法を例に取って説明する。
【００５１】
今、図２のような候補リストＡ，Ｂが、各照合方法の検索照合処理部１２、２２で生成されたとする。候補絞り込み型複合認証処理手段６０は、候補リストＡ、Ｂ両方に存在する同定候補（KOUHO-1、KOUHO-2）の一致度の和を求める。また、候補絞り込み型複合認証処理手段６０は、当該同定対象候補（KOUHO-1、KOUHO-2）について、第３の照合方法による一致度Ｘを単独照合処理部５０を用いて求める。図８に、候補リストＡ，Ｂの統合結果と、第３の照合方法による一致度Ｘの算出結果例を示す。
【００５２】
このようにして３種類の照合方法によって得られた一致度の全ての和をもって統合一致度とし、統合一致度の高い順に統合候補リストＲを生成する。図９に統合候補リストＲを示す。ただし、本説明では候補リストを生成する照合方法を２種類、候補リストで絞り込まれた同定対象に対して単独照合のみを行う照合方法を１種類としたが、候補リストを生成する照合方法が１種類以上、単独照合のみを行う照合方法が１種類以上あれば、どのような場合にも本発明が実施可能なことは明らかである。
【００５３】
実施の形態４．
図１０は、この発明の実施形態４の構成を示すブロック図であり、例えば３種類の照合方法を用いる場合を示している。図において１０ａは第１のデータ照合方法に基づく処理を行う第１の照合手段、１１は照合手段１０において登録データを記憶する登録データ記憶部、１２は照合手段１０ａにおいて、入力された照合データと類似した登録データを検索して照合データと一致度の高い登録データを見つけだし、その登録データを所有する同定対象を、一致度の高い順に同定対象候補としてリストアップする検索照合処理部、１３は第１の照合方法において、指示された同定対象の登録データと入力された照合データとの単独照合を行い、その一致度を出力する単独照合処理部である。
【００５４】
又、２０ａは第２のデータ照合方法に基づく処理を行う第２の照合手段、２１は照合手段２０において登録データを記憶する登録データ記憶部、２２は照合手段２０ａにおいて、入力された照合データと類似した登録データを検索して照合データと一致度の高い登録データを見つけだし、その登録データを所有する同定対象を、一致度の高い順に同定対象候補としてリストアップする検索照合処理部、２３は第２の照合方法において、指示された同定対象の登録データと入力された照合データとの単独照合を行い、その一致度を出力する単独照合処理部である。
【００５５】
又、５０は第３のデータ照合方法に基づく処理を行う単独照合手段、５１は単独照合手段５０において登録データを記憶する登録データ記憶部、５２は単独照合手段５０において、指示された同定対象の登録データと入力された照合データの単独照合を行い、その一致度を出力する単独照合処理部である。
【００５６】
又、７０は第１及び第２の照合手段の検索照合処理部１２、２２より出力された、同定対象候補及び当該候補の各照合方法に於ける照合データと登録データとの一致度を示す同定対象候補リストＡ及びＢを入力し、いずれか一方の候補リストＡ又はＢにしか掲載されていない同定候補があった場合に、掲載されていない方の候補リストに対応する照合方法における、当該掲載されていない同定候補の一致度を単独照合処理部１３又は２３を用いて求め、その結果を含めた同定対象候補リストＡ１及びＢ１を作成し、候補リストＡ１及びＢ１を統合し、次に、この統合されたリストに挙がっている各候補について、単独照合手段５０を用いて当該候補の第３の照合方法による照合データと登録データの一致度Ｙを求め、各照合方法での一致度を統合的に判断して統合候補リストＳを作成する候補総当たり・絞り込み併用型複合認証処理手段である。
【００５７】
次に動作について説明する。統合候補生成処理には、様々な手法が適用可能であるが、ここでは説明を簡単にするため、候補リストに存在する同定対象の一致度の和を用いる手法を例に取って説明する。候補リストＡ及びＢに存在する全ての同定対象候補について一致度を求め、リストＡ１及びＢ１を作成するまでは、実施の形態２と同様である。
【００５８】
今、候補リストＡ１、Ｂ１が図５に示すような内容であった場合、候補総当たり・絞り込み併用型複合認証処理部７０は、これらの候補リストＡ１及びＢ１に存在する同定対象の第３の照合方法における一致度Ｙを単独照合手段５０を用いてもとめ、図１１のように全同定対象候補に対する全照合方法の一致度を求め、この一致度の一覧をもとに、候補総当たり・絞り込み併用型複合認証処理部７０は図１２に示すような統合候補リストＳを生成する。
【００５９】
ただし、本説明では候補リストを生成する照合方法を２種類、候補リストで絞り込まれた同定対象に対して単独照合のみを行う照合方法を１種類としたが、候補リストを生成する照合方法が１種類以上、単独照合のみを行う照合方法が１種類以上あれば本発明が実施可能なことは言うまでもない。
【００６０】
【発明の効果】
この発明に関わるデータ照合装置は、登録データ記憶部、検索照合処理部、及び単独照合処理部をそれぞれ有する複数の照合手段と、複合認証処理手段とを備えたデータ照合装置であって、上記登録データ記憶部は、複数の同定対象の候補それぞれが有する複数の固有データを複数の登録データとして記憶可能であるとともに該複数の登録データを出力可能であり、上記検索照合処理部は、同定対象が有する複数種類の固有データがそれぞれ入力され、上記登録データ記憶部から出力された上記複数の登録データのそれぞれと同定対象が有する上記固有データとの一致度を求めるとともに該一致度の高い順に上記複数の候補を並べた候補リストを生成し、上記複合認証処理手段は、上記複数の照合手段のそれぞれに対応する複数の候補リストにリストアップされた全ての候補の登録データのそれぞれと上記同定対象が有する固有データとの一致度を求めるように、当該各照合手段がそれぞれ備える上記単独照合処理部に対して一致度を求める候補をそれぞれ指示し、上記単独照合処理部は、上記複合認証処理部により指示された候補の登録データと上記同定対象が有する固有データとの一致度を求め、この一致度を上記複合認証処理部に出力し、更に上記複合認証処理手段は、固有データの種類ごとにそれぞれ生成された複数の上記候補リストのいずれかにリストアップされた複数の候補を上記一致度に基づいて処理し、該複数の候補を上記一致度の高い順に並べた統合候補リストを生成するので、いずれかの照合手段において高い一致度が得られず候補リストに上げられなかった候補があったとしても、統合候補リスト生成時には対象となることができ、精度の高い同定対象の照合ができるという効果がある。
【００６１】
又、複数の照合手段に入力される複数種類の固有データ以外の同定対象が有する固有データが入力され、該入力された固有データと複合認証処理手段により指示された候補の登録データとの一致度を求め、この一致度を上記複合認証処理部に出力する単独照合手段を備え、複合認証処理手段は、上記単独照合手段が複数の候補リストの全てにリストアップされた候補の登録データと上記同定対象が有する固有データとの一致度を求めるように、当該単独照合手段に対して一致度を求める候補を指示するので、いずれかの照合手段において高い一致度が得られず候補リストに上げられなかった候補があったとしても、統合候補リスト生成時には対象となることができ、精度の高い同定対象の照合ができるという効果がある。
【図面の簡単な説明】
【図１】  本発明の実施の形態１における構成を示すブロック図である。
【図２】  照合方法ごとの同定対象の候補リストの例を示す説明図である。
【図３】  第１及び第２の照合方法による、同定対象の統合候補リストの例を示す説明図である。
【図４】  本発明の実施の形態２における構成を示すブロック図である。
【図５】  照合方法ごとの同定対象の総当たり型候補リストの例を示す説明図である。
【図６】  総当たり型複合認証における同定対象の統合候補リストの例を示す説明図である。
【図７】  本発明の実施の形態３における構成を示すブロック図である。
【図８】  第１及び第２の照合方法による同定対象の統合結果、及び第３の照合方法による同定対象の一致度の例を示す説明図である。
【図９】  実施の形態３における統合候補リストの例を示す説明図である。
【図１０】  本発明の実施の形態４における構成を示すブロック図である。
【図１１】  第１及び第２の照合方法による同定対象の統合結果、及び第３の照合方法による同定対象の一致度の例を示す説明図である。
【図１２】  実施の形態４における統合候補リストの例を示す説明図である。
【図１３】  従来技術の一構成例を示すブロック図である。
【図１４】  従来技術の一構成例を示すブロック図である。
【符号の説明】
１  音声照合手段、  ２  指紋照合手段、  ３  個人識別手段、
４  音声入力手段、  ５  指紋入力手段、  ６  音声登録ファイル、
７  登録指紋ファイル群、  １０、１０ａ  第１の照合手段、
１１  登録データ記憶部、  １２  検索照合処理部、
１３  単独照合処理部、  １４  ＩＤ番号指定照合処理部、
１５第１の単独照合手段、  ２０、２０ａ  第２の照合手段、
２１  登録データ記憶部、  ２２  検索照合処理部、
２３  単独照合処理部、  ２４  ＩＤ番号指定照合処理部、
２５第２の単独照合手段、  ３０  複合認証処理手段、
４０  候補総当たり型複合認証処理手段、  ５０  単独照合手段、
５１  登録データ記憶部、  ５２  単独照合処理部、
６０  候補絞り込み型複合認証処理手段、
７０  候補総当たり・絞り込み併用型複合認証処理手段、
８０  照合結果統合処理手段。
【図１】
0004269419.tif 000002
【図２】
0004269419.tif 000003
【図３】
0004269419.tif 000004
【図４】
0004269419.tif 000005
【図５】
0004269419.tif 000006
【図６】
0004269419.tif 000007
【図７】
0004269419.tif 000008
【図８】
0004269419.tif 000009
【図９】
0004269419.tif 000010
【図１０】
0004269419.tif 000011
【図１１】
0004269419.tif 000012
【図１２】
0004269419.tif 000013
【図１３】
0004269419.tif 000014
【図１４】
0004269419.tif 000015